(57)【要約】【課題】ディスク形記録媒体から情報を読み出していないときであっても、アクチュエータ本体がディスク形記録媒体に衝突することを防止することができる光ピックアップ装置を提供する。【解決手段】光ピックアップ装置１は光ディスクの径方向に移動自在に設けられたピックアップベース２と光ディスクに間隔をあけて相対した対物レンズ１１が取り付けられたアクチュエータ本体９とアクチュエータ本体９を光ディスクＤの少なくとも径方向と厚み方向とに移動自在にピックアップベース２に取り付けたアクチュエータ駆動部１０を備えている。光ピックアップ装置１はピックアップベース２に設けられたモータ４とレンズホルダ５を更に備えている。レンズホルダ５はモータ４の駆動力によりアクチュエータ本体９が光ディスクＤに接触することを規制する規制位置とアクチュエータ本体９が光ディスクに接触することを許容する許容位置とに亘って移動自在に設けられている。【選択図】図１
2009181663.tif 000002
【特許請求の範囲】
【請求項１】
ディスク形記録媒体の径方向に移動自在に設けられたピックアップベースと、
前記ディスク形記録媒体に間隔をあけて相対した対物レンズが取り付けられたアクチュエータ本体と、
前記アクチュエータ本体を前記ディスク形記録媒体の少なくとも径方向と厚み方向とに移動自在に前記ピックアップベースに取り付けたアクチュエータ駆動部と、
を備えた光ピックアップ装置において、
前記ピックアップベースに設けられかつ前記ディスク形記録媒体から情報を読み取るためのレーザ光が通される光学部品を移動する駆動源と、
前記駆動源の駆動力により、前記アクチュエータ本体が前記ディスク形記録媒体に接触することを規制する規制位置と、前記アクチュエータ本体が前記ディスク形記録媒体に接触することを許容する許容位置とに亘って移動自在に設けられた制限部材と、
を備えたことを特徴とする光ピックアップ装置。
【請求項２】
前記制限部材は、前記規制位置に位置付けられると、前記アクチュエータ本体を前記ピックアップベースに固定する固定部を備えていることを特徴とする請求項１記載の光ピックアップ装置。
【請求項３】
前記制限部材は、前記光学部品が取り付けられていることを特徴とする請求項１又は請求項２記載の光ピックアップ装置。
【請求項４】
前記制限部材は、多層の前記ディスク形記録媒体から情報を読み出す場合には、記録面の層に応じて所定の範囲内に位置する複数の許容位置のいずれかに移動して前記レーザ光の収差を補正し、前記ディスク形記録媒体から情報を読み出さない場合には、前記所定の範囲外に位置する前記規制位置に移動することを特徴とする請求項３記載の光ピックアップ装置。
【発明の詳細な説明】
【技術分野】
【０００１】
本発明は、光ディスク再生装置などに使用される光ピックアップ装置に関する。
【背景技術】
【０００２】
光ディスク再生装置には、ＣＤ（Compact Disk）やＤＶＤ（Digital Versatile Disc）やＢＤ（Blu-ray Disc）などのディスク形記録媒体としての光ディスクに記録された情報を読み取るために従来から種々の光ピックアップ装置(例えば、特許文献１参照)が用いられている。
【０００３】
前述した特許文献１などに示された光ピックアップ装置は、前述したＣＤなどの光ディスクの径方向に移動自在に設けられたピックアップベースと、光ディスクに間隔をあけて相対した対物レンズが取り付けられたアクチュエータ本体と、アクチュエータ本体を光ディスクの径方向と厚み方向との双方に移動自在にピックアップベースに取り付けたアクチュエータ駆動部とを備えている。
【０００４】
ピックアップベースには、光ディスクの周方向に互いに間隔をあけかつ互いの間に前記アクチュエータ本体を位置付けたマグネットが取り付けられている。アクチュエータ本体には、前記マグネットと間隔をあけて相対したプリントコイルが取り付けられている。アクチュエータ駆動部は、銅合金などの弾性力を備えるとともに高い導電性の材料で構成された線状弾性部材を複数備えている。
【０００５】
線状弾性部材は、一端部がアクチュエータ本体に取り付けられかつ他端部がピックアップベースに取り付けられている。線状弾性部材は、その長手方向が光ディスクの周方向に沿っている。線状弾性部材は、弾性変形自在であるので、ピックアップベースに対してアクチュエータ本体を変位自在に支持している。
【０００６】
さらに、線状弾性部材は、前述した一端部がプリントコイルと電気的に接続されて、ピックアップベース側の他端部が外部からフォーカス制御やトラッキング制御のための電流が供給される。
【０００７】
前述した構成の光ピックアップ装置は、プリントコイルに線状弾性部材を介して、フォーカス制御やトラッキング制御のための電流が供給されて、プリントコイルとマグネットとが互いに協働して、アクチュエータ本体即ち対物レンズを少なくとも光ディスクの厚み方向即ちフォーカス方向と光ディスクの径方向即ちトラッキング方向との双方に沿って移動させて、光ディスクの情報記録面の所望の位置にレーザ光を照射する。こうして、光ピックアップ装置は、当該光ディスクから情報を読み出す。
【特許文献１】特開２００５−１２２８２８号公報
【発明の開示】
【発明が解決しようとする課題】
【０００８】
前述した光ピックアップ装置は、光ディスクから情報を読み出す際には、前記線状弾性部材を介してプリントコイルに電流を供給して、対物レンズの焦点を常に情報記録面の所望の位置に合わせている。このため、外部から振動などが加わっても、アクチュエータ本体がピックアップベースに対して振動することを抑制することができ、対物レンズが光ディスクに接触することを防止している。また、光ディスクから情報を読み出していない状態では、線状弾性部材を介してプリントコイルに電流を供給されていないために、外部から振動などが加わると、線状弾性部材の弾性により、アクチュエータ本体がピックアップベースに対して自由振動してしまう。このような場合でも対物レンズが光ディスクに接触しないように、対物レンズより先に光ディスクに接触し、かつ、接触部が光ディスクを傷つけにくい材料からなる突起がアクチュエータ本体に設けられている。
【０００９】
しかしながら、前述した突起が光ディスクを傷付けにくい材料であっても、振動の大きさや回数が増大すると光ディスクに接触の痕が残り、最悪の場合には、光ディスクを傷つけてしまう。さらに、突起の先端に塵埃等が付着すると、突起に付着した塵埃が振動により光ディスクに接触することで光ディスクを傷つけてしまう。
【００１０】
したがって、本発明の目的は、例えば、ディスク形記録媒体から情報を読み出していないときであっても、アクチュエータ本体がディスク形記録媒体に衝突することを防止することができる光ピックアップ装置を提供することにある。
【課題を解決するための手段】
【００１１】
前記課題を解決し目的を達成するために、請求項１に記載の本発明は、ディスク形記録媒体の径方向に移動自在に設けられたピックアップベースと、前記ディスク形記録媒体に間隔をあけて相対した対物レンズが取り付けられたアクチュエータ本体と、前記アクチュエータ本体を前記ディスク形記録媒体の少なくとも径方向と厚み方向とに移動自在に前記ピックアップベースに取り付けたアクチュエータ駆動部と、を備えた光ピックアップ装置において、前記ピックアップベースに設けられかつ前記ディスク形記録媒体から情報を読み取るためのレーザ光が通される光学部品を移動する駆動源と、前記駆動源の駆動力により、前記アクチュエータ本体が前記ディスク形記録媒体に接触することを規制する規制位置と、前記アクチュエータ本体が前記ディスク形記録媒体に接触することを許容する許容位置とに亘って移動自在に設けられた制限部材と、を備えたことを特徴としている。
【発明を実施するための最良の形態】
【００１２】
以下、本発明の一実施形態にかかる光ピックアップ装置を説明する。本発明の一実施形態にかかる光ピックアップ装置は、ピックアップベースに設けられた駆動源の駆動力により、アクチュエータ本体がディスク形記録媒体に接触することを規制する規制位置と接触することを許容する許容位置とに亘って移動自在な制限部材を設けている。このため、ディスク形記録媒体から情報を読み出していないときには、制限部材を規制位置に位置付けることにより、アクチュエータ本体がディスク形記録媒体に衝突することを防止することができる。
【００１３】
また、制限部材は、規制位置に位置付けられるとアクチュエータ本体をピックアップベースに固定する固定部を備えても良い。この場合、ディスク形記録媒体から情報を読み出していないときに、制限部材を規制位置に位置付けると、アクチュエータ本体が固定されるので、アクチュエータ本体がディスク形記録媒体に衝突することをより安定して防止することができる。
【００１４】
さらに、制限部材は、光学部品が取り付けられても良い。この場合、アクチュエータ本体の移動を制限するための専用に制限部材を設ける必要がなくなるので、部品点数の削減を図ることができる。
【００１５】
さらに、制限部材は、多層のディスク形記録媒体から情報を読み出す場合には、記録面の層に応じて所定の範囲内に位置する複数の許容位置のいずれかに移動してレーザ光の収差を補正し、ディスク形記録媒体から情報を読み出さない場合には、所定の範囲外に位置する規制位置に移動しても良い。この場合、ディスク形記録媒体から情報を読み出している際に制限部材が規制位置に位置することがないので、情報の読み出し中にアクチュエータ本体の移動を規制してしまうことを防止することができる。
【実施例１】
【００１６】
本発明の第１の実施例にかかる光ピックアップ装置１を、図１ないし図６を参照して説明する。光ピックアップ装置１は、ＣＤ、ＤＶＤ、ＢＤ等のディスク形記録媒体としての光ディスクＤ（図２、図４及び図６中に示す）に記録された情報を再生する情報処理装置としての光ディスク再生装置などに用いられ、光ディスクＤに記録された情報を読み取るために、光ディスクＤの反りや振れに対して光ディスクＤの情報記録面と後述する対物レンズ１１との距離を制御するフォーカス制御と、光ディスクＤのトラックの偏心に対して対物レンズ１１を追従するように制御するトラッキング制御等を行うとともに、再生する光ディスクＤが多層のＢＤである場合には、再生する記録面の層に応じて後述するコリメータレンズ７の位置の変更を行う。
【００１７】
光ピックアップ装置１は、図１に示すように、ピックアップベース２と、アクチュエータ装置３と、駆動源としてのモータ４と、制限部材としてのレンズホルダ５と、制御手段としての図示しないμＣＯＭを備えている。ピックアップベース２は、図示しないモータや当該モータからの駆動力により軸芯回りに回転駆動するリードスクリュー６などによって、当該リードスクリュー６上を光ディスクＤの径方向に沿って移動可能に設けられている。
【００１８】
ピックアップベース２は、箱状に形成され、かつ光学部品としての光源、コリメータレンズ７、ビームスプリッタ、受光器などが収容されている。前述した光源、コリメータレンズ７、ビームスプリッタ、受光器などの光学部品は、光源が光ディスクＤから情報を読み取るために最適な波長のレーザ光を発生し、このレーザ光をディスクＤまで導き、当該光ディスクＤから反射されたレーザ光を受光器まで導いて、当該受光器で受光する。
【００１９】
アクチュエータ装置３は、図１に示すように、アクチュエータベース８と、アクチュエータ本体９と、アクチュエータ駆動部１０とを備えている。
【００２０】
アクチュエータベース８は、ピックアップベース２に固定されている。また、このアクチュエータベース８とピックアップベース２とには、アクチュエータ本体９を光ディスクＤの周方向に沿って互いの間に挟む位置に配置されたマグネット(図示しない)が取り付けられている。
【００２１】
アクチュエータ本体９は、扁平な箱状に形成され、かつ光ディスクＤと相対する対物レンズ１１と図示しないプリントコイルが取り付けられている。
【００２２】
対物レンズ１１は、図示例では、二つ設けられている。図１中手前側の一方の対物レンズ１１は、ＣＤ及びＤＶＤ用のレーザ光を通すものであり、図１中奥側の他方の対物レンズ１１は、ＢＤ用のレーザ光を通すものである。これらの対物レンズ１１は、情報読み取り用の光源から発せられて光学部品を経由してきたレーザ光を通して、当該レーザ光を光ディスクＤに照射することおよび光ディスクＤから反射されたレーザ光を通して、当該レーザ光を光学部品へ出力するためのレンズである。
【００２３】
プリントコイルは、図示例では、二つ設けられる。これらのプリントコイルは、それぞれ、マグネットと間隔をあけて相対している。プリントコイルは、周知の接着剤などによりアクチュエータ本体９に取り付けられている。プリントコイルは、基板上にコイルの配線パターンが形成されたものであり、フォーカス制御用のコイルとトラッキング制御用のコイルが夫々形成されている。また、プリントコイルには、後述する線状弾性部材１３とはんだ付けにて電気的に接続される。
【００２４】
また、アクチュエータ本体９には、図２に示すように、突出片１２が設けられている。突出片１２は、アクチュエータ本体９のアクチュエータベース８から離れた側の先端でかつピックアップベース２寄りの縁に設けられている。突出片１２は、前記アクチュエータ本体９の縁からピックアップベース２に向かって凸の鉛直部１２ａと、この鉛直部１２ａの先端から光ディスクＤの周方向に沿って凸の水平部１２ｂとを一体に備えている。
【００２５】
アクチュエータ駆動部１０は、前述したマグネットと、前述したプリントコイルと、複数の線状弾性部材１３を備えている。線状弾性部材１３は、例えば銅合金などの弾性力を備えて導電性の良い材料で構成されて、直線状に延在した棒状(線状)に形成されている。線状弾性部材１３は、図示例では、四つ設けられ、それぞれ、光ディスクＤの周方向と平行に配置されている。これら四つの線状弾性部材１３のうち一対の線状弾性部材１３と他の一対の線状弾性部材１３とは、互いに光ディスクＤの径方向に間隔をあけて配置され、かつ、各対の線状弾性部材１３は、互いに光ディスクＤの厚み方向に間隔をあけて配置されている。
【００２６】
また、各線状弾性部材１３は、その一端部がアクチュエータ本体９に取り付けられ、他端部がアクチュエータベース８に取り付けられている。アクチュエータ本体９とアクチュエータベース８と線状弾性部材１３は、インサート成形により、これらのアクチュエータ本体９とアクチュエータベース８を成形する際に一体に成形される。すなわち、線状弾性部材１３は、一端部がアクチュエータ本体９に内包され、他端部がアクチュエータベース８に内包されるとともに、他の部分（即ち、中央部）は露出した状態で固定される。
【００２７】
さらに、線状弾性部材１３は、アクチュエータ本体９側の一端部がプリントコイルと電気的に接続されているとともに、アクチュエータベース８側の他端部が外部からフォーカス制御やトラッキング制御のための電流が供給される。つまり、線状弾性部材１３は、弾性変形することで、アクチュエータ本体９をアクチュエータベース８即ちピックアップベース２に対して移動自在に支持しているとともに、プリントコイルに電流を供給する配線の機能も合わせて持つ。
【００２８】
アクチュエータ駆動部１０は、線状弾性部材１３が弾性変形しかつ前述した制御のための電流が供給されたプリントコイルとマグネットにより、アクチュエータ本体９を光ディスクＤの少なくとも径方向と厚み方向とに移動自在にアクチュエータベース８を介してピックアップベース２に取り付けている。
【００２９】
モータ４は、ピックアップベース２内に収容されて、当該ピックアップベース２に固定されている。モータ４は、その出力軸にねじ軸１４が取り付けられている。ねじ軸１４の長手方向は、光ディスクＤの周方向と平行に配置されている。また、モータ４は、光ディスクＤの径方向に沿ってアクチュエータ装置３と並ぶ位置に配置されている。更に、モータ４の出力軸に取り付けられたねじ軸１４の近傍には、当該ねじ軸１４と平行なガイドシャフト１５が設けられている。
【００３０】
レンズホルダ５は、枠状の枠状部１６と、棒状部１７とを一体に備えている。枠状部１６は、内側に光学部品としての前述したコリメータレンズ７を収容して、当該コリメータレンズ７が取り付けられている。棒状部１７は、枠状部１６の外周面から当該枠状部１６の外周方向に直線状に延在している。棒状部１７の枠状部１６から離れた側の先端部には、内側にガイドシャフト１５を通す通し孔１８と、前記ねじ軸１４に螺合するナット部１９とが設けられている。
【００３１】
レンズホルダ５は、モータ４の駆動力によりねじ軸１４が軸芯周りに回転されると、ナット部１９がねじ軸１４に螺合しているので、通し孔１８によりガイドシャフト１５に案内されながら、ねじ軸１４の長手方向に沿って移動する。そして、レンズホルダ５は、アクチュエータ装置３に対してコリメータレンズ７を接離させる。そして、モータ４は、再生する光ディスクＤが多層のＢＤである場合には、再生する記録面の層に応じてレンズホルダ５及びコリメータレンズ７を光ディスクＤの周方向に移動させて、対物レンズ１１の光ディスクＤの情報記録面上での球面収差が適切となる位置にコリメータレンズ７の位置を変更する。
【００３２】
また、レンズホルダ５は、変位制限部２０を一体に備えている。変位制限部２０は、枠状部１６のアクチュエータ装置３寄りの外縁部に設けられている。変位制限部２０は、図２に示すように、枠状部１６の前述した外縁部から光ディスクＤに向かって立設した鉛直立設部２０ａと、この鉛直立設部２０ａの枠状部１６の先端からアクチュエータ装置３に向かって延在した水平延在部２０ｂとを一体に備えている。
【００３３】
さらに、レンズホルダ５は、モータ４によりねじ軸１４の長手方向に沿って移動されると、図５及び図６に示す規制位置と、図１乃至図４に示す許容位置とに亘って、移動される。即ち、レンズホルダ５は、規制位置と、許容位置とに亘って移動自在に設けられている。
【００３４】
規制位置では、図６に示すように、突出片１２の水平部１２ｂと変位制限部２０の水平延在部２０ｂとが光ディスクＤの厚み方向に沿って互いに間隔をあけて重なる。このとき、線状弾性部材１３が弾性変形していない状態において、アクチュエータ本体９と光ディスクＤとの間隔Ｔ１よりも水平部１２ｂと水平延在部２０ｂとの間隔Ｔ２が狭くなっている。このため、規制位置では、線状弾性部材１３が弾性変形して水平部１２ｂと水平延在部２０ｂとが互いに接触しても、アクチュエータ本体９が光ディスクＤに接触しない。このように、規制位置では、変位制限部２０は、突出片１２と協働して、アクチュエータ本体９が光ディスクＤに接触することを規制する。
【００３５】
許容位置では、突出片１２の水平部１２ｂと変位制限部２０の水平延在部２０ｂとが光ディスクＤの厚み方向に沿って互いに間隔をあけて重ならない。このため、許容位置では、線状弾性部材１３が弾性変形すると、アクチュエータ本体９が光ディスクＤに接触することが可能となる。このように、許容位置では、変位制限部２０は、アクチュエータ本体９が光ディスクＤに接触することを許容する。なお、許容位置とは、レンズホルダ５の規制位置以外の位置をなしている。このため、レンズホルダ５の許容位置とは、水平部１２ｂと水平延在部２０ｂとが光ディスクＤの厚み方向に沿って互いに重ならないねじ軸１４の長手方向の所定の範囲に形成されている。なお、図１及び図２は、許容位置におけるレンズホルダ５のアクチュエータ装置３から最も離れた位置を示し、図３及び図４は、許容位置におけるレンズホルダ５の最もアクチュエータ装置３寄りの位置を示している。すなわち、レンズホルダ５は、多層の光ディスクＤから情報を読み出す場合には、記録面の層に応じて所定の範囲内（図１の位置から図３の位置までの範囲内）に位置する複数の許容位置のいずれかに移動して情報記録面上での球面収差を補正し、情報を読み出さない場合には、所定の範囲外に位置する規制位置（図６の位置）に移動する。
【００３６】
μＣＯＭは、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００３７】
μＣＯＭは、アクチュエータ駆動部１０のプリントコイルに接続して、当該プリントコイルに供給される前述した電流を制御して、アクチュエータ装置３全体の制御を司る。さらに、μＣＯＭは、前述したモータ４などと接続して、これらの動作を制御して、光ピックアップ装置１全体の制御を司る。
【００３８】
μＣＯＭは、光ディスクＤからの情報の読み取りを開始する際に、まず、モータ４を駆動してレンズホルダ５を許容位置に位置付けて、当該許容位置内の適切な位置に当該レンズホルダ５を位置付けるとともに、線状弾性部材１３を介してプリントコイルにフォーカス制御及びトラッキング制御のための電流を供給しながら、レーザ光を光ディスクＤの情報記録面に照射して、情報を読み出して再生する。
【００３９】
μＣＯＭは、レーザ光の光ディスクＤの情報記録面への照射を停止して、光ディスクＤからの情報の読み取りを停止すると、プリントコイルへのフォーカス制御及びトラッキング制御のための電流の供給を停止し、モータ４を駆動してレンズホルダ５を規制位置に位置付ける。このように、μＣＯＭは、光ディスクＤから情報を読み取らない場合には、レンズホルダ５を規制位置に位置付けて、アクチュエータ本体９が光ディスクＤに接触することを規制する。
【００４０】
本実施例によれば、ピックアップベース２に設けられたモータ４の駆動力により、アクチュエータ本体９が光ディスクＤに接触することを規制する規制位置と接触することを許容する許容位置とに亘って移動自在なレンズホルダ５を設けている。このため、光ディスクＤから情報を読み出していないときには、レンズホルダ５を規制位置に位置付けることにより、アクチュエータ本体９が光ディスクＤに衝突することを防止することができる。
【００４１】
また、光ディスクＤから情報を読み出すときには、レンズホルダ５を許容位置に位置付けることにより、情報記録面の所望の位置から情報を読みだせるように、アクチュエータ本体９を光ディスクＤの動きに追従させることができる。
【００４２】
さらに、レンズホルダ５は、光学部品としてのコリメータレンズ７が取り付けられている。このため、アクチュエータ本体９の移動を制限するための専用に制限部材を設ける必要がなくなるので、部品点数の削減を図ることができる。
【実施例２】
【００４３】
次に、第２の実施例にかかる光ピックアップ装置１を、図７乃至図１２を参照して説明する。なお、前述した第１の実施例と同一部分には、同一符号を付して説明を省略する。
【００４４】
本実施例では、突出片１２は、図７乃至図１２に示すように、アクチュエータ本体９から突出するのにしたがって、アクチュエータベース８と光ディスクＤとの双方から離れる方向に直線状に延在している。
【００４５】
また、本実施例では、変位制限部２０は、図７乃至図１２に示すように、レンズホルダ５の枠状部１６から突出するのにしたがって、アクチュエータベース８と光ディスクＤとの双方に近づく方向に直線状に延在している。そして、本実施例では、レンズホルダ５が規制位置に位置付けられると、図１１及び図１２に示すように、突出片１２と変位制限部２０とが互いに密に重なる。このため、本実施例では、規制位置では、変位制限部２０が、突出片１２に密に重なって、アクチュエータ本体９をピックアップベース２に固定して、当該アクチュエータ本体９が光ディスクＤに接触することを規制する。詳細には、変位制限部２０が突出片１２を押圧することで線状弾性部材１３の弾性力が働きアクチュエータ本体９が固定される。つまり、本実施例の変位制限部２０は、請求項２に記載された固定部をなしている。なお、変位制限部２０は、突出片１２を挟み込むようにしてアクチュエータ本体９を完全に固定するような形状であってもよい。
【００４６】
本実施例によれば、レンズホルダ５は、規制位置に位置付けられるとアクチュエータ本体９をピックアップベース２に固定する固定部としての変位制限部２０を備えている。このため、光ディスクＤから情報を読み出していないときに、レンズホルダ５を規制位置に位置付けると、アクチュエータ本体９が固定されるので、アクチュエータ本体９が光ディスクＤに衝突することを防止することができる。
【００４７】
前述した実施例によれば、光学部品としてのコリメータレンズ７を取り付けたレンズホルダ５をモータ４により規制位置と許容位置とに亘って移動させている。しかしながら、本発明では、コリメータレンズ７に限らず種々の光学部品を取り付けた制限部材を移動させても良い。また、本発明では、制限部材に光学部品を取り付けることなく、規制位置と許容位置とに亘って移動自在に設けられた専用の部材を設けても良いことは勿論である。
【００４８】
前述した実施例によれば、以下の光ピックアップ装置１が得られる。
【００４９】
（付記）  光ディスクＤの径方向に移動自在に設けられたピックアップベース２と、
前記光ディスクＤに間隔をあけて相対した対物レンズ１１が取り付けられたアクチュエータ本体９と、
前記アクチュエータ本体９を前記光ディスクＤの少なくとも径方向と厚み方向とに移動自在に前記ピックアップベース２に取り付けたアクチュエータ駆動部１０と、
を備えた光ピックアップ装置１において、
前記ピックアップベース２に設けられかつ前記光ディスクＤから情報を読み取るためのレーザ光が通されるコリメータレンズ７を移動するモータ４と、
前記モータ４の駆動力により、前記アクチュエータ本体９が前記光ディスクＤに接触することを規制する規制位置と、前記アクチュエータ本体９が前記光ディスクＤに接触することを許容する許容位置とに亘って移動自在に設けられたレンズホルダ５と、
を備えたことを特徴とする光ピックアップ装置１。
【００５０】
付記によれば、ピックアップベース２に設けられたモータ４の駆動力により、アクチュエータ本体９が光ディスクＤに接触することを規制する規制位置と、光ディスクＤに接触することを許容する許容位置とに亘って移動自在なレンズホルダ５を設けている。このため、光ディスクＤから情報を読み出していないときには、レンズホルダ５を規制位置に位置付けることにより、アクチュエータ本体９が光ディスクＤに衝突することを防止することができる。
【００５１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５２】
【図１】本発明の第１の実施例にかかる光ピックアップ装置の斜視図である。
【図２】図１に示された光ピックアップ装置の要部の断面図である。
【図３】図１に示された光ピックアップ装置の許容位置に位置付けられたレンズホルダが最もアクチュエータ本体寄りに位置付けられた状態の斜視図である。
【図４】図３に示された光ピックアップ装置の要部の断面図である。
【図５】図１に示された光ピックアップ装置のレンズホルダが規制位置に位置付けられた状態の斜視図である。
【図６】図５に示された光ピックアップ装置の要部の断面図である。
【図７】本発明の第２の実施例にかかる光ピックアップ装置の斜視図である。
【図８】図７に示された光ピックアップ装置の要部の断面図である。
【図９】図７に示された光ピックアップ装置の許容位置に位置付けられたレンズホルダが最もアクチュエータ本体寄りに位置付けられた状態の斜視図である。
【図１０】図９に示された光ピックアップ装置の要部の断面図である。
【図１１】図７に示された光ピックアップ装置のレンズホルダが規制位置に位置付けられた状態の斜視図である。
【図１２】図１１に示された光ピックアップ装置の要部の断面図である。
【符号の説明】
【００５３】
１  光ピックアップ装置
２  ピックアップベース
４  モータ(駆動源)
５  レンズホルダ(制限部材)
７  コリメータレンズ（光学部品）
９  アクチュエータ本体
１０  アクチュエータ駆動部
１１  対物レンズ
２０  変位制限部（固定部）
Ｄ  光ディスク（ディスク形記録媒体）
【図１】
2009181663.tif 000003
【図２】
2009181663.tif 000004
【図３】
2009181663.tif 000005
【図４】
2009181663.tif 000006
【図５】
2009181663.tif 000007
【図６】
2009181663.tif 000008
【図７】
2009181663.tif 000009
【図８】
2009181663.tif 000010
【図９】
2009181663.tif 000011
【図１０】
2009181663.tif 000012
【図１１】
2009181663.tif 000013
【図１２】
2009181663.tif 000014